(57)【特許請求の範囲】
【請求項１】
接点の開状態又は閉状態を生成する接点機器を有する通報装置との間で装置間相互接続を行うために、スキャニング信号によって点灯するフォトダイオードと該フォトダイオードの点灯によって前記接点が閉状態にあるときオンするフォトトランジスタとからなる第１のフォトカプラを有するスキャニング手段と、前記接点が閉状態にあるとき前記第１のフォトカプラのフォトトランジスタがオンすることによって点灯するフォトダイオードと該フォトダイオードの点灯によってオンするフォトトランジスタとからなる第２のフォトカプラを有し、該第２のフォトカプラのフォトトランジスタのオンによって接点状態検知信号を生成する接点状態検知手段とを含むインタフェース回路と、
前記接点の閉状態を送信すべきセンターとの間の通信を行う通信手段と、
前記インタフェース回路と前記通信手段との間に設けられ、前記スキャニング手段に供給する前記スキャニング信号を生成するとともに、前記スキャニング信号を供給したときの前記接点状態検知手段からの前記接点状態検知信号に基づいて前記接点の閉状態を検知するマイクロコンピュータとを備え、
センターと通信可能なように前記通信手段を介して回線に接続されると共に前記インタフェース回路を介して前記通報装置に接続され、前記通報装置が生成する前記接点の閉状態を検知するとともに該検知した閉状態に基づいてセンターに送信を行う通報管理装置において、
前記接点の開状態から閉状態への変化に応じて前記接点状態検知手段の前記第２のフォトカプラのフォトダイオードを通じて充電電流又は放電電流を流して当該フォトカプラのフォトダイオードを点灯させ、前記接点状態検知手段に接点状態信号を生成させる容量素子を有するタイミング発生部をさらに備え、
前記マイクロコンピュータは、前記スキャニング信号を生成していない状態で前記接点状態検知手段からの接点状態信号に基づいて前記スキャニング信号の生成を開始するようにした
ことを特徴とする通報管理装置。
【発明の詳細な説明】
【０００１】
【発明の属する技術分野】
本発明は、インタフェース回路を介して接点の開状態又は閉状態を生成する接点機器を有する通報装置に接続されるとともに、センターと通信可能なようにＮＣＵを介して回線に接続され、通報装置が生成する接点の閉状態を検知するとともに検知した閉状態に基づいてセンターに送信を行う通報管理装置に関する。
【０００２】
【従来の技術】
図６は、従来のインタフェース回路５、及びこれを用いた通報管理装置を説明するための機能ブロック図である。図７は、図６の通報管理装置において生成されるスキャニングパルス３ａを説明するためのタイミングチャートである。
【０００３】
図６に示すように、通報管理装置９は、通信手段としてのＮＣＵ３Ｂとインタフェース回路５とマイクロコンピュータ３Ａとを有し、センター４と通信可能なようにＮＣＵ３Ｂを介して回線８に接続されると共に、インタフェース回路５を介して通報装置（具体的には、発信機能付自動切替調整器）６に接続されていた。
【０００４】
インタフェース回路５は、状態情報を生成する通報装置６と状態情報を検知する通報管理装置９との間で装置間相互接続を行うための手段である。
【０００５】
更に、インタフェース回路５には、ポート７を介して接点機器６Ａに接続された状態で接点機器６Ａが状態情報を発生したか否かを検出する第１フォトカプラ１と、第１フォトカプラ１と接点機器６Ａを介して接続された状態で接点機器６Ａが生成する状態情報の収集を実行する第２フォトカプラ２とが設けられていた。
【０００６】
第１フォトカプラ１内のフォトトランジスタ１Ａのコレクタは、接点機器６Ａを介して、第２フォトカプラ２内のフォトダイオード２Ｂと順方向に直列に接続され、エミッタは接地電位に接続されていた。
【０００７】
また第１フォトカプラ１内のフォトダイオード１Ｂは、カソードが接地電位に接続され、アノードがマイクロコンピュータ３Ａの出力端子に接続されていた。
【０００８】
第２フォトカプラ２内のフォトダイオード２Ｂは、アノードが電源Ｖｄｄに接続され、カソードが、接点機器６Ａを介して、第１フォトカプラ１内のフォトトランジスタ１Ａのコレクタに接続されていた。
【０００９】
また第２フォトカプラ２内のフォトトランジスタ２Ａは、コレクタが抵抗素子を介して電源Ｖｃｃに接続されると共に、マイクロコンピュータ３Ａの入力端子に接続され、エミッタが接地電位に接続されていた。
【００１０】
次に、接点機器６Ａの開閉状態の検知動作を説明する。
【００１１】
従来の構成を有する通報管理装置９においては、電力消費量を抑える目的で、検知動作等の必要動作を実行する以外の時間はマイクロコンピュータ３Ａを節電状態（例えば、スリープモード）に維持していた。
【００１２】
検知動作等の必要動作を実行する際には、マイクロコンピュータ３Ａを覚醒状態（例えば、ウェイクアップモード）に復帰させていた。
【００１３】
このため、接点機器６Ａの開閉状態の検知動作（以降、スキャニング動作と呼ぶ）を実行する場合、節電状態にあるマイクロコンピュータ３Ａを、図７に示すような所定の周期ｔ（則ち、スキャニング周期、具体的には、１秒周期）で覚醒状態に復帰させていた。
【００１４】
覚醒状態に復帰したマイクロコンピュータ３Ａは、スキャニング動作可能状態となって、入力端子からスキャニングパルス３ａをフォトダイオード１Ｂに与え、第１フォトカプラ１を活性化して接点機器６Ａの開閉状態のスキャニングを実行していた。
【００１５】
スキャニング結果である接点状態信号は、活性化された第２フォトカプラ２を介して、覚醒状態にあるマイクロコンピュータ３Ａの入力端子に伝達されていた。
【００１６】
接点状態信号の収集が完了して接点機器６Ａのスキャニング動作が終了すると、マイクロコンピュータ３Ａは、再び節電状態に移行し、次のスキャニングのタイミングまでこの節電状態を維持していた。
【００１７】
更に詳しく、マイクロコンピュータ３Ａが実行するスキャニング動作を説明する。
【００１８】
通報装置６において、接点機器６Ａが閉状態になると、第２フォトカプラ２のフォトダイオード２Ｂと閉状態になった接点機器６Ａと第１フォトカプラ１内のフォトトランジスタ１Ａとが直列に接続された回路が形成され、第２フォトカプラ２内のフォトダイオード２Ｂが活性化されて閉状態に応じた接点状態信号が生成される。
【００１９】
そこで、覚醒状態時に接点機器６Ａの閉状態のスキャニング動作を実行する場合には、マイクロコンピュータ３Ａは、図７に示すような周期ｔのスキャニングタイミングでスキャニングパルス３ａを第１フォトカプラ１内のフォトダイオード１Ｂに与えて、フォトトランジスタ１Ａを活性化して接点状態信号の生成を制御すると共に、接点機器６Ａの閉状態に応じて活性化された第２フォトカプラ２内のフォトトランジスタ２Ａを介して閉状態にかかる接点状態信号の収集の制御を実行していた。
【００２０】
一方、接点機器６Ａが開状態になると、第２フォトカプラ２内のフォトトランジスタ２Ａを活性化することにより、開状態に応じた接点状態信号が生成される。
【００２１】
そこで、覚醒状態時に接点機器６Ａの開状態のスキャニング動作を実行する場合には、マイクロコンピュータ３Ａは、図７に示すスキャニングタイミングでスキャニングパルス３ａを第１フォトカプラ１内のフォトダイオード１Ｂに与えて、フォトトランジスタ１Ａを活性化して接点状態信号の生成を制御すると共に、接点機器６Ａの開状態に応じて不活性化された第２フォトカプラ２内のフォトトランジスタ２Ａを介して開状態にかかる接点状態信号の収集の制御を実行していた。
【００２２】
【発明が解決しようとする課題】
しかしながら、このような従来のインタフェース回路５、及びこれを用いた通報管理装置９では、接点機器６Ａの開閉状態に変化が無く前状態を維持している場合の様にスキャニング動作を不要とする場合であっても、スキャニング動作の要不要に関わらず、スキャニング周期に従ったスキャニング動作が規則的に実行されてしまう可能性があった。
【００２３】
このため、スキャニング動作の要不要に関わらず、節電状態にあるマイクロコンピュータ３Ａが、スキャニング周期毎に規則的に覚醒状態に復帰させられて、スキャニング動作が実行される可能性があった。
【００２４】
則ち、覚醒状態への不必要な復帰及び不必要なスキャニング動作がマイクロコンピュータ３Ａによって実行されることに依り、通報管理装置９における電力消費量を十分に抑えることが難しいという技術的課題があった。
【００２５】
本発明は、接点機器の開閉状態に変化が生じた場合の様にスキャニング動作を必要とする場合のみスキャニング動作を実行可能とし、その結果、節電状態にあるマイクロコンピュータをスキャニング動作要求に応じて覚醒状態に復帰させてスキャニング動作を実行可能とし、通報管理装置における電力消費量を従来よりも低減可能とすることを課題としている。
【００２６】
【課題を解決するための手段】
請求項１に記載の発明は、接点の開状態又は閉状態を生成する接点機器３２を有する通報装置３０との間で装置間相互接続を行うために、スキャニング信号１４ａによって点灯するフォトダイオード２２６と該フォトダイオードの点灯によって前記接点が閉状態にあるときオンするフォトトランジスタ２２４とからなる第１のフォトカプラを有するスキャニング手段２２と、前記接点が閉状態にあるとき前記第１のフォトカプラのフォトトランジスタ２２４がオンすることによって点灯するフォトダイオード２４６と該フォトダイオードの点灯によってオンするフォトトランジスタ２４４とからなる第２のフォトカプラを有し、該第２のフォトカプラのフォトトランジスタ２４４のオンによって接点状態信号２４ａを生成する接点状態検知手段２４とを含むインタフェース回路２０と、前記接点の閉状態を送信すべきセンターとの間の通信を行う通信手段１２と、前記インタフェース回路２０と前記通信手段１２との間に設けられ、前記スキャニング手段２２に供給する前記スキャニング信号１４ａを生成するとともに、前記スキャニング信号１４ａを供給したときの前記接点状態検知手段２４からの前記接点状態信号２４ａに基づいて前記接点の閉状態を検知するマイクロコンピュータ１４とを備え、センター４０と通信可能なように前記通信手段１２を介して回線に接続されると共に前記インタフェース回路２０を介して前記通報装置３０に接続され、前記通報装置３０が生成する前記接点の閉状態を検知するとともに該検知した閉状態に基づいてセンター４０に送信を行う通報管理装置１０において、前記接点の開状態から閉状態への変化に応じて前記接点状態検知手段２４の前記第２のフォトカプラのフォトダイオード２４６を通じて充電電流又は放電電流を流して当該フォトカプラのフォトダイオード２４６を点灯させ、前記接点状態検知手段２４に接点状態信号２４ａを生成させる容量素子を有するタイミング発生部２２２をさらに備え、前記マイクロコンピュータ１４は、前記スキャニング信号１４ａを生成していない状態で前記接点状態検知手段２４からの接点状態信号に基づいて前記スキャニング信号１４ａの生成を開始するようにしたことを特徴とする通報管理装置１０である。
【００２７】
請求項１に記載の発明に依れば、接点の開状態から閉状態への変化に応じて接点状態検知手段２４の第２のフォトカプラのフォトダイオード２４６を通じて充電電流又は放電電流を流して当該フォトカプラのフォトダイオード２４６を点灯させ、点状態検知手段２４に接点状態信号２４ａを生成させる容量素子を有するタイミング発生部２２２を設けることに依り、スキャンイング信号を供給しない状態で、通報装置の接点機器の接点が閉状態になったことを示す接点状態信号を生成し、スキャニング信号の生成していない状態で生成される接点状態信号に基づいてスキャニング信号を生成するようにしているので、マイクロコンピュータは通常状態ではスキャニング信号を生成しない休眠状態にしておき、節電状態にあるマイクロコンピュータ１４及び通信手段１２をスキャニング動作要求に応じて覚醒状態に復帰させてスキャニング動作が実行可能となり、マイクロコンピュータ１４における電力消費量を従来よりも低減できるようになる。
【００２８】
【発明の実施の形態】
本発明の通報管理装置１０のインタフェース回路２０は、装置間相互接続を行うためのインタフェース回路２０であって、一方の装置に発生した状態情報に応じて状態情報の発生タイミングに同期した所定時間幅（単位は［秒］）を有する状態信号を生成すると共に、状態信号を他方の装置に送信して状態情報の収集を促すタイミング発生部２２２を有する。
【００２９】
本発明の装置とは、インタフェース回路２０に接続された状態で、データの送受信が可能なものであれば、何でも良く、例えば、発信機能付自動切替調整器等を意味する。
【００３０】
また、節電状態とは、装置の動作クロックを減速したり、使用していないハードウェアを休眠させた状態を意味し、無駄な消費電力を抑えるために有効な方法である。
【００３１】
また、装置間相互接続とは、１対１接続、１対多接続、多対多接続等を意味し、また接続形態としては、スター接続、バス接続、マスター・スレーブ接続等の各種の接続が可能である。
【００３２】
このようなタイミング発生部２２２を設けることに依り、相手方の装置に対する所定動作の要不要の検出が可能となり、不要な動作の回避が可能となり、その結果、節電状態にある通報管理装置１０の節電状態を維持して装置における電力消費量（単位は［ｗｈ］）を従来よりも低減可能となるといった効果を奏する。
【００３３】
更に、相手方の装置に対する所定動作を必要とする場合のみ、その動作が実行可能となり、その結果、節電状態にある通報管理装置１０を動作要求に応じて覚醒状態に復帰させて相手方の装置に対する動作が実行可能となり、装置における電力消費量を従来よりも低減可能となるといった効果を奏する。
【００３４】
第１実施形態又は後述する第２実施形態の覚醒状態とは、装置の動作クロックを正常速度に復帰したり、使用しようとするハードウェアの休眠を解除した状態を意味する。また、所定動作とは、インタフェース回路２０を介して相手方の装置から情報を収集するために、相手方の装置に対して実行する制御動作を意味する。
【００３５】
また第１実施形態又は後述する第２実施形態における通報装置３０は、発信機能付自動切替調整器当であって、開状態又は閉状態を生成する接点機器３２を有する。
【００３６】
また、第１実施形態又は後述する第２実施形態の接点とは、リレー接点等を意味するが、電気信号に応じて開状態又は閉状態となるのものならば、特に限定されない。
【００３７】
また、第１実施形態又は後述する第２実施形態の接点機器３２とは、例えば、ガス漏れや自損事故を検知して接点の開閉を行うガス漏れ検知器のような手段を意味するが、このような接点（具体的には、リレー素子）を有し、所定の条件に基づいて接点を開閉制御する機器ならば、何でも良い。
【００３８】
また、第１実施形態又は後述する第２実施形態の容量性素子は、例えば、コンデンサー等の電子素子を意味するが、これに特に限定されるものではなく、静電容量を有し、電流の充電や放電に従った電圧が発生するものならば、何でも良い。
【００３９】
また、第１実施形態又は後述する第２実施形態の接点機器３２は、接点の開状態と閉状態とに応じて、接点を有する接点機器３２に流れる電流を遮断状態に制御したり通電状態にしたりできるものであれば、何でも良い。
【００４０】
また、第１実施形態又は後述する第２実施形態におけるガス漏れ検知装置とは、ガス漏れ、コンセント抜け、その他の自損事故を検出して、その検出状態を伝えるための状態情報を生成可能な装置を意味する。
【００４１】
また、第１実施形態又は後述する第２実施形態のマイクロコンピュータ１４とは、ＣＰＵ、プログラム記憶用のＲＯＭ、演算記憶用のＲＡＭ、情報の入出力制御を行うペリフェラルインタフェース等を中心にして構成されている制御手段ならば、何でも良い。また、ＮＣＵ１２やインタフェース回路２０は、マイクロコンピュータ１４内にＩＣ化されて設けられることも可能である。
【００４２】
以下、図面に基づき本発明の各種実施形態を説明する。
【００４３】
初めに、インタフェース回路、及びこれを用いた通報管理装置の第１実施形態を説明する。図１は、本発明のインタフェース回路２０、及びこれを用いた通報管理装置１０の第１実施形態を説明するための機能ブロック図である。図２は、図１の通報管理装置１０において生成される接点状態信号２４ａとスキャニング信号１４ａとのタイミングを説明するためのタイミングチャートである。
【００４４】
第１実施形態の通報管理装置１０は、図１に示すように、ＮＣＵ１２、マイクロコンピュータ１４、インタフェース回路２０を有する。
【００４５】
初めに、図面に基づき、第１実施形態にかかるインタフェース回路２０を説明する。
【００４６】
第１実施形態のインタフェース回路２０は、状態情報を生成する通報装置３０と状態情報を検知する通報管理装置１０との間で装置間相互接続を行う機能を有し、図１に示すように、スキャニング手段２２と接点状態検知手段２４とを有する。
【００４７】
スキャニング手段２２は、接点機器３２に接続された状態で接点機器３２が状態情報を発生したか否かを検出する機能を有し、フォトカプラ２２とタイミング発生部２２２を有する。
【００４８】
スキャニング手段（フォトカプラ）２２内のフォトトランジスタ２２４のコレクタは、抵抗素子２３Ｂを介して接点機器３２に接続され、更に、接点機器３２を介して、接点状態検知手段（フォトカプラ）２４内のフォトダイオード２４６と順方向に直列に接続され、エミッタは接地電位に接続されている。
【００４９】
またスキャニング手段（フォトカプラ）２２内のフォトダイオード２２６は、カソードが接地電位に接続され、アノードが抵抗素子２３Ｄを介してマイクロコンピュータ１４の出力端子に接続されている。
【００５０】
またスキャニング手段２２のフォトカプラ２２内のフォトトランジスタ２２４は、接点機器３２を介して、接点状態検知手段２４のフォトカプラ２４内のフォトダイオード２４６と順方向に直列に接続されている。
【００５１】
スキャニング手段２２に装置されているタイミング発生部２２２は、接点機器３２に発生した接点の開状態又は閉状態にかかる状態情報に応じた接点状態信号２４ａを状態信号として生成すると共に、状態信号を通報管理装置１０に送信して状態情報の収集を促す機能を有する。
【００５２】
具体的なタイミング発生部２２２は、スキャニング手段２２内のフォトトランジスタ２２４のエミッタとコレクタとの間に並列に接続されている容量性素子によって実現されている。
【００５３】
このようなタイミング発生部２２２を設けることに依り、通報管理装置１０における相手方の装置に対する動作の要不要の検出が可能となり、接点機器３２の開閉状態に変化が無く前状態を維持している場合の様に相手方の装置に対する動作を不要とする場合には相手方の装置に対する動作の回避が可能となり、その結果、節電状態にある通報管理装置１０の節電状態を維持して通報管理装置１０における電力消費量を従来よりも低減可能となるといった効果を奏する。
【００５４】
更に、接点機器３２の開閉状態に変化が生じた場合の様に相手方の装置に対する動作を必要とする場合のみ相手方の装置に対する動作が実行可能となり、その結果、節電状態にある通報管理装置１０を相手方の装置に対する動作要求に応じて覚醒状態に復帰させて相手方の装置に対する動作が実行可能となり、通報管理装置１０における電力消費量を従来よりも低減可能となるといった効果を奏する。
【００５５】
第１実施形態の容量性素子は、例えば、コンデンサー等の電子素子を意味するが、これに特に限定されるものではなく、静電容量を有し、電流の充電や放電に従った電圧が発生するものならば、何でも良い。
【００５６】
このような容量性素子の充放電波形を用いて、通報管理装置１０におけるスキャニング動作の要不要の検出が可能となり、接点機器３２の開閉状態に変化が無く前状態を維持している場合の様にスキャニング動作を不要とする場合にはスキャニング動作の回避が可能となり、その結果、節電状態にある通報管理装置１０の節電状態を維持して通報管理装置１０における電力消費量を従来よりも低減可能となるといった効果を奏する。
【００５７】
更に、接点機器３２の開閉状態に変化に応じた容量性素子の充放電波形を用いて、スキャニング動作を必要とする場合を判定でき、スキャニング動作を必要とする場合のみスキャニング動作が実行可能となり、その結果、節電状態にある通報管理装置１０をスキャニング動作要求に応じて覚醒状態に復帰させてスキャニング動作が実行可能となり、通報管理装置１０における電力消費量を従来よりも低減可能となるといった効果を奏する。
【００５８】
次に、タイミング発生部２２２の動作を説明する。
【００５９】
タイミング発生部２２２は、接点状態検知手段２４のフォトダイオード２４６と閉状態になった接点機器３２とタイミング発生部２２２内の容量性素子とが直列に接続された回路が形成された際に、直列回路に流れる順方向の電流を用いて容量性素子の充電を実行すると共に、容量性素子の電圧波形を用いて接点状態信号２４ａを生成する。
【００６０】
第１実施形態の接点機器３２は、接点の開状態と閉状態とに応じて、接点を有する接点機器３２に流れる電流を遮断状態に制御したり通電状態にしたりできるものであれば、何でも良い。
【００６１】
このような直列回路に流れる順方向の電流による容量性素子の充放電波形を用いて、通報管理装置１０におけるスキャニング動作の要不要の検出が可能となり、接点機器３２の開閉状態に変化が無く前状態を維持している場合の様にスキャニング動作を不要とする場合にはスキャニング動作の回避が可能となり、その結果、節電状態にある通報管理装置１０の節電状態を維持して通報管理装置１０における電力消費量を従来よりも低減可能となるといった効果を奏する。
【００６２】
更に、接点機器３２の開閉状態に変化に応じた容量性素子の充放電波形を用いて、スキャニング動作を必要とする場合を判定でき、スキャニング動作を必要とする場合のみスキャニング動作が実行可能となり、その結果、節電状態にある通報管理装置１０をスキャニング動作要求に応じて覚醒状態に復帰させてスキャニング動作が実行可能となり、通報管理装置１０における電力消費量を従来よりも低減可能となるといった効果を奏する。
【００６３】
また接点状態検知手段２４は、スキャニング手段２２と接点機器３２を介して接続された状態で接点機器３２が生成する状態情報の収集を実行する機能を有し、図１に示すように、フォトカプラ２４を有する。
【００６４】
接点状態検知手段（フォトカプラ）２４内のフォトダイオード２４６は、アノードが電源Ｖｄｄに接続され、カソードは、抵抗素子２３Ａを介して接点機器３２に接続され、更に、接点機器３２を介して、スキャニング手段（フォトカプラ）２２内のフォトトランジスタ２２４のコレクタに接続されている。
【００６５】
また接点状態検知手段（フォトカプラ）２４内のフォトトランジスタ２４４は、コレクタが抵抗素子２３Ｃを介して電源Ｖｃｃに接続されると共に、マイクロコンピュータ１４の入力端子に接続され、エミッタが接地電位に接続されている。
【００６６】
このような接点状態検知手段２４とスキャニング手段２２を設けることに依り、通報管理装置１０におけるスキャニング動作の要不要の検出が可能となり、接点機器３２の開閉状態に変化が無く前状態を維持している場合の様にスキャニング動作を不要とする場合にはスキャニング動作の回避が可能となり、その結果、節電状態にある通報管理装置１０の節電状態を維持して通報管理装置１０における電力消費量を従来よりも低減可能となるといった効果を奏する。
【００６７】
更に、接点機器３２の開閉状態に変化が生じた場合の様にスキャニング動作を必要とする場合のみスキャニング動作が実行可能となり、その結果、節電状態にある通報管理装置１０をスキャニング動作要求に応じて覚醒状態に復帰させてスキャニング動作が実行可能となり、通報管理装置１０における電力消費量を従来よりも低減可能となるといった効果を奏する。
【００６８】
次に、図面に基づき、第１実施形態にかかる通報管理装置１０を説明する。
【００６９】
通報管理装置１０は、図１に示すように、ＮＣＵ１２とインタフェース回路２０との間に設けられたマイクロコンピュータ１４を有する。
【００７０】
通報管理装置１０は、通信手段としてのＮＣＵ１２とインタフェース回路２０とマイクロコンピュータ１４とを有し、センター４０と通信可能なようにＮＣＵ１２を介して回線４１（接続端子Ｌ１，Ｌ２，Ｔ１，Ｔ２）に接続されると共に、インタフェース回路２０を介して通報装置３０（具体的には、発信機能付自動切替調整器）に接続されている。
【００７１】
インタフェース回路２０は、前述したように、状態情報を生成する通報装置３０と状態情報を検知する通報管理装置１０との間で装置間相互接続を行うための手段である。
【００７２】
第１実施形態におけるガス漏れ検知装置とは、ガス漏れ、コンセント抜け、その他の自損事故を検出して、その検出状態を伝えるための状態情報を生成可能な装置を意味する。
【００７３】
また、センター４０とは、回線４１を介して少なくとも１つ以上接続された通報管理装置１０，…，１０から接点状態信号２４ａを一括して収集するための設備を意味する。
【００７４】
また、ＮＣＵ１２とは、Ｎｅｔｗｏｒｋ  Ｃｏｎｔｒｏｌ  Ｕｎｉｔの略語である。また、回線４１とは、情報の伝達を行うための伝送媒体なら何でも良く、例えば、電話回線、ＩＳＤＮ回線等の有線回線や、電波を用いた無線回線を意味する。
【００７５】
マイクロコンピュータ１４は、スキャニング信号１４ａを与えて、スキャニング手段２２を活性化して接点状態信号２４ａの生成を制御すると共に、接点機器３２の開閉状態に応じて活性化された接点状態検知手段２４を介して開閉状態にかかる接点状態信号２４ａの収集を制御するように構成されている。
【００７６】
またマイクロコンピュータ１４は、ポート１７（端子ＳＧ（制御信号様の端子），ＤＴ（データの送受信様の端子））を介してガスメータ４２に接続されており、ガスメータ４２からガスの使用量等の検針情報を受信している。
【００７７】
第１実施形態のマイクロコンピュータ１４とは、ＣＰＵ、プログラム記憶用のＲＯＭ、演算記憶用のＲＡＭ、情報の入出力制御を行うペリフェラルインタフェース等を中心にして構成されている制御手段ならば、何でも良い。また、ＮＣＵ１２やインタフェース回路２０は、マイクロコンピュータ１４内にＩＣ化されて設けられることも可能である。
【００７８】
次に、図面に基づき、第１実施形態にかかるマイクロコンピュータ１４の動作を説明する。
【００７９】
第１実施形態にかかるマイクロコンピュータ１４とは、ＣＰＵ、プログラム記憶用のＲＯＭ、演算記憶用のＲＡＭ、情報の入出力制御を行うペリフェラルインタフェース等を中心にして構成されている制御手段ならば、何でも良い。また、ＮＣＵ１２やインタフェース回路２０は、マイクロコンピュータ１４内にＩＣ化されて設けられることも可能である。
【００８０】
通報管理装置１０においては、電力消費量を抑える目的で、検知動作等の必要動作を実行する以外の時間はマイクロコンピュータ１４を節電状態（例えば、スリープモード）を維持している。
【００８１】
スキャニング動作を実行する際には、図２（ａ）に示すように、接点状態信号２４ａの受信を待って、マイクロコンピュータ１４を覚醒状態（例えば、ウェイクアップモード）に復帰させている。
【００８２】
このため、従来のように所定の周期ｔ（則ち、スキャニング周期、具体的には、１秒周期）で無駄に覚醒状態に復帰させる必要が無くなるといった効果を奏する。
【００８３】
また、覚醒状態に復帰したマイクロコンピュータ１４は、スキャニング動作可能状態となって、入力端子からスキャニング信号１４ａをフォトダイオード２２６に与え、スキャニング手段（フォトカプラ）２２を活性化して接点機器３２の開閉状態のスキャニング動作を実行している。
【００８４】
スキャニング結果である接点状態信号２４ａは、活性化された接点状態検知手段（フォトカプラ）２４を介して、覚醒状態にあるマイクロコンピュータ１４の入力端子に伝達されている。
【００８５】
接点状態信号２４ａの収集が完了して接点機器３２のスキャニング動作が終了すると、マイクロコンピュータ１４は、再び節電状態に移行し、次のスキャニング動作のタイミングまでこの節電状態を維持している。
【００８６】
更に詳しく、マイクロコンピュータ１４が実行するスキャニング動作を説明する。
【００８７】
通報装置３０において、接点機器３２が閉状態になると、接点状態検知手段（フォトカプラ）２４のフォトダイオード２４６と閉状態になった接点機器３２とスキャニング手段（フォトカプラ）２２内のフォトトランジスタ２２４とが直列に接続された回路が形成され、接点状態検知手段（フォトカプラ）２４内のフォトダイオード２４６が活性化されて閉状態に応じた接点状態信号２４ａが生成される。
【００８８】
そこで、覚醒状態時に接点機器３２の閉状態のスキャニング動作を実行する場合には、マイクロコンピュータ１４は、図２（ａ）に示すような周期ｔのスキャニングタイミングでマイクロコンピュータ１４にスキャニング信号１４ａをスキャニング手段（フォトカプラ）２２内のフォトダイオード２２６に与えて、フォトトランジスタ２２４を活性化して接点状態信号２４ａ（具体的には、図２（ａ）に示すような割込み信号）の生成を制御すると共に、接点機器３２の閉状態に応じて活性化された接点状態検知手段（フォトカプラ）２４内のフォトトランジスタ２４４を介して閉状態にかかる接点状態信号２４ａの収集の制御を実行している。
【００８９】
第１実施形態における活性化とは、フォトダイオード２２６，２４６やフォトトランジスタ２２４，２４４を動作状態にすることを意味する。
【００９０】
一方、接点機器３２が開状態になると、接点状態検知手段（フォトカプラ）２４内のフォトトランジスタ２４４を活性化することにより、開状態に応じた接点状態信号２４ａが生成される。
【００９１】
そこで、覚醒状態時に接点機器３２の開状態のスキャニング動作を実行する場合には、マイクロコンピュータ１４は、図２（ｂ）に示すスキャニングタイミングでスキャニング信号１４ａをスキャニング手段（フォトカプラ）２２内のフォトダイオード２２６に与えて、フォトトランジスタ２２４を活性化して接点状態信号２４ａの生成を制御すると共に、接点機器３２の開状態に応じて不活性化された接点状態検知手段（フォトカプラ）２４内のフォトトランジスタ２４４を介して開状態にかかる接点状態信号２４ａの収集の制御を実行している。
【００９２】
このようなマイクロコンピュータ１４によって制御可能な接点状態検知手段２４とスキャニング手段２２を設けることに依り、接点機器３２の開閉状態の変化を判断できるようになり、接点機器３２の開閉状態に変化が無く前状態を維持している場合の様にスキャニング動作を不要とする場合には、接点状態信号２４ａを用いて、スキャニング動作の回避が可能となり、その結果、節電状態にある通報管理装置１０の節電状態を維持して通報管理装置１０における電力消費量を従来よりも低減可能となるといった効果を奏する。
【００９３】
更に、接点機器３２の開閉状態に変化が生じた場合の様にスキャニング動作を必要とする場合のみ、接点状態信号２４ａを用いて、スキャニング動作が実行可能となり、その結果、節電状態にある通報管理装置１０をスキャニング動作要求に応じて覚醒状態に復帰させてスキャニング動作が実行可能となり、通報管理装置１０における電力消費量を従来よりも低減可能となるといった効果を奏する。
【００９４】
以上説明したように、第１実施形態の通報管理装置１０に依れば、発信機能付自動切替調整器に設けられた接点機器３２の開閉状態の変化を判断できるようになり、接点機器３２の開閉状態に変化が無く前状態を維持している場合の様にスキャニング動作を不要とする場合には、接点状態信号２４ａを用いて、スキャニング動作の回避が可能となり、その結果、節電状態にあるマイクロコンピュータ１４及びＮＣＵ１２の節電状態を維持してマイクロコンピュータ１４における電力消費量を従来よりも低減可能となるといった効果を奏する。
【００９５】
更に、発信機能付自動切替調整器に設けられた接点機器３２の開閉状態に変化が生じた場合の様にスキャニング動作を必要とする場合のみ、接点状態信号２４ａを用いて、スキャニング動作が実行可能となり、またスキャニング動作の結果である接点状態信号２４ａをＮＣＵ１２を介してセンター４０に送信することが可能となり、その結果、節電状態にあるマイクロコンピュータ１４及びＮＣＵ１２をスキャニング動作要求に応じて覚醒状態に復帰させてスキャニング動作が実行可能となり、マイクロコンピュータ１４における電力消費量を従来よりも低減可能となるといった効果を奏する。
【００９６】
次に、インタフェース回路、及びこれを用いた通報管理装置の第２実施形態を説明する。図３は、本発明のインタフェース回路５０、及びこれを用いた通報管理装置１０の第２実施形態を説明するための機能ブロック図である。なお、第１実施形態において、既に記述したものと同一の部分については、同一符号を付し、重複した説明は省略する。
【００９７】
初めに、図面に基づき、第２実施形態にかかるインタフェース回路５０を説明する。
【００９８】
第２実施形態のインタフェース回路５０は、状態情報（具体的には、スイッチやリレーの接点の開状態を示す情報や接点の閉状態を示す情報）を生成する前述の通報装置３０と状態情報を検知する前述の通報管理装置１０との間で装置間相互接続を行う機能を有し、図５に示すように、スキャニング手段５２と接点状態検知手段５４とを有する。
【００９９】
インタフェース回路５０は、スキャニング手段５２がフォトカプラ５３（フォトトランジスタ５３２とフォトダイオード５３３とで構成されている）を有し、接点状態検知手段５４がフォトカプラ５５（フォトトランジスタ５５２とフォトダイオード５５３とで構成されている）を有する回路構成となっている。
【０１００】
またインタフェース回路５０においては、状態情報を収集するためのスキャニング動作時にスキャニング手段５２のフォトカプラ５３内のフォトトランジスタ５３２がタイミング発生部５８Ａに直列（すなわち、フォトトランジスタ５３２（エミッタ）と抵抗素子５７Ｃとタイミング発生部５８Ａとが充電電流Ｉ１について直列）に順方向接続され、一方、接点状態検知時にタイミング発生部５８Ａが接点状態検知手段５４のフォトカプラ５５内のフォトダイオード５５３を介して接点機器３２に直列に放電電流Ｉ２に対して順方向接続される回路構成となっている点に特徴を有している。以下の説明では、接点機器３２としてリレースイッチ３２を中心に説明を進めることにする。この場合、開状態とはリレースイッチ３２の接点ＯＦＦ状態を意味し、閉状態とはリレースイッチ３２の接点ＯＮ状態を意味している。
【０１０１】
なお、ここで順方向とは、フォトトランジスタ５３２のコレクターからエミッタを経てタイミング発生部５８Ａに流れ込む充電電流Ｉ１の電流方向を意味している。
【０１０２】
スキャニング手段５２は、リレースイッチ３２に接続された状態でリレースイッチ３２が状態情報を発生したか否かを検出する機能を有し、フォトカプラ５３と容量性素子からなるタイミング発生部５８Ａを有する。
【０１０３】
スキャニング手段５２のフォトカプラ５３内のフォトトランジスタ５３２においては、コレクタが電源電位Ｖｄｄに接続され、エミッタが抵抗素子５７Ｃを介して容量性素子からなるタイミング発生部５８Ａの高電位側及びフォトダイオード５５３に接続され、ベースがフォトダイオード５３３と光信号によって接続可能になっている。
【０１０４】
またスキャニング手段５２のフォトカプラ５３内のフォトダイオード５３３は、カソードが接地電位ＧＮＤに接続され、アノードが抵抗素子５７Ａを介してマイクロコンピュータ１４の出力端子に接続されている。
【０１０５】
スキャニング手段５２に設けられたタイミング発生部５８Ａは、スキャニング手段５２のフォトカプラ５３内のフォトトランジスタ５３２のエミッタと接地電位（ＧＮＤ）との間に直列に接続されているタイミング発生部５８Ａを有している。
【０１０６】
なお、第２実施形態のタイミング発生部５８Ａは、例えば、コンデンサー等の電子素子を意味するが、これに特に限定されるものではなく、静電容量を有し、電流の充電や放電に従った電圧が発生するものならば、何でも良い。以下の説明では、タイミング発生部５８Ａを容量性素子で代表することにする。
【０１０７】
このような容量性素子５８Ａの充放電波形を用いて、通報管理装置１０におけるスキャニング動作の要不要の検出が可能となり、リレースイッチ３２の接点ＯＮ／ＯＦＦ状態に変化が無く前状態を維持している場合の様にスキャニング動作を不要とする場合にはスキャニング動作の回避が可能となり、その結果、節電状態にある通報管理装置１０の節電状態を維持して通報管理装置１０における電力消費量を従来よりも低減できるようになる。更に、リレースイッチ３２の接点ＯＮ／ＯＦＦ状態に変化に応じた容量性素子５８Ａの充放電波形を用いて、スキャニング動作を必要とする場合を判定でき、スキャニング動作を必要とする場合のみスキャニング動作が実行可能となり、その結果、節電状態にある通報管理装置１０をスキャニング動作要求に応じて覚醒状態に復帰させてスキャニング動作が実行可能となり、通報管理装置１０における電力消費量を従来よりも低減できるようになる。
【０１０８】
図４は、図３のインタフェース回路５０、及びこれを用いた通報管理装置１０におけるスキャニング動作を説明するための機能ブロック図である。
【０１０９】
スキャニング手段５２は、図４に示すように、フォトカプラ５３内のフォトトランジスタ５３２と容量性素子５８Ａとが直列に順方向（すなわち、フォトトランジスタ５３２のコレクター側からエミッタ側に電流が流れる方向）に接続される直列回路を構成するスキャニング動作時にマイクロコンピュータ１４から抵抗素子５７Ａを介して送信されるスキャニング信号１４ａを受信したタイミングに応じてフォトカプラ５３内のフォトダイオード５３３が活性化されこれに応じてフォトトランジスタ５３２が活性化されたタイミングで、フォトトランジスタ５３２のエミッタに接続された抵抗素子５７Ｃを介して直列回路に流れる順方向の電流Ｉ１を用いて容量性素子５８Ａに充電電荷（すなわち、充電電流Ｉ１）を供給して充電を実行する機能を有している。
【０１１０】
このような機能を設けることに依り、スキャニング動作期間のスキャニング信号１４ａに応じてスキャニング手段５２のフォトカプラ５３内のフォトダイオード５３３を活性化し、活性化されたフォトカプラ５３内のフォトダイオード５３３の発光信号に応じてフォトカプラ５３内のフォトトランジスタ５３２を活性化し容量性素子５８Ａに充電電荷（充電電流Ｉ１）を供給して充電を実行する電流Ｉ１を供給する回路を設けることに依り、通報管理装置１０におけるスキャニング動作の要不要の検出がスキャニング信号１４ａに応じて可能となり、リレースイッチ３２の接点ＯＮ／ＯＦＦ状態に変化が無く前状態を維持している場合の様にスキャニング動作を不要とする場合にはスキャニング動作の回避が可能となり、その結果、節電状態にある通報管理装置１０の節電状態を維持して通報管理装置１０における電力消費量を従来よりも低減できるようになる。更に加えて、耐ノイズ性と電位安定性に優れた容量性素子５８Ａの容量性素子５８Ａは、スキャニング動作期間中はリレースイッチ３２の接点ＯＮ状態の発生タイミングを除いて常時充電動作が継続されるためほぼ常時満充電状態を維持できる。その結果、外来ノイズによる接点状態検知手段５４のフォトカプラ５５の誤った活性化（すなわち、誤動作）を回避でき、満充電において容量性素子５８Ａの両端に発生する電位の変化にのみ基づいて接点状態検知手段５４のフォトカプラ５５の活性化及び不活性化を制御できるようになり、耐ノイズ性に優れたインタフェース回路５０を実現できるといった効果を奏する。これに依り、通報管理装置１０におけるスキャニング動作の要不要の検出が優れた耐ノイズ性及び電位安定性を以て可能となり、リレースイッチ３２の接点ＯＮ／ＯＦＦ状態に変化が無く前状態を維持している場合の様にスキャニング動作を不要とする場合にはスキャニング動作の回避が優れた耐ノイズ性及び電位安定性を以て可能となる。更に、リレースイッチ３２の接点ＯＮ／ＯＦＦ状態に変化に応じた容量性素子５８Ａの充放電波形を用いて、スキャニング動作を必要とする場合を優れた耐ノイズ性及び電位安定性を以て判定でき、スキャニング動作を必要とする場合のみスキャニング動作が優れた耐ノイズ性及び電位安定性を以て実行可能となり、その結果、節電状態にある通報管理装置１０をスキャニング動作要求に応じて覚醒状態に復帰させてスキャニング動作が優れた耐ノイズ性及び電位安定性を以て実行可能となる。
【０１１１】
更に加えて、スキャニング手段５２は、図４に示すように、容量性素子５８Ａが満充電に達した以降のスキャニング動作期間に、抵抗素子５７Ｂを介して電源Ｖｄｄから容量性素子５８Ａに充電電荷（すなわち、保持電流Ｉ３）を供給して容量性素子５８Ａの満充電時の充電電位を保持する機能を有している。
【０１１２】
このような機能を設けることに依り、容量性素子５８Ａが満充電に達した以降のスキャニング動作期間の満充電にかかる充電電位を一定に保持する回路を設けることに依り、容量性素子５８Ａにおける漏れ電流に起因する充電電位の経時的低下を回避できるようになるといった効果を奏する。この様な耐ノイズ性と電位安定性に優れた容量性素子５８Ａの容量性素子５８Ａは、スキャニング動作期間中はリレースイッチ３２の接点ＯＮ状態の発生タイミングを除いて常時充電動作が継続されるためほぼ常時満充電状態を維持できる。その結果、外来ノイズによる接点状態検知手段５４のフォトカプラ５５の誤った活性化（すなわち、誤動作）を回避でき、満充電において容量性素子５８Ａの両端に発生する電位の変化にのみ基づいて接点状態検知手段５４のフォトカプラ５５の活性化及び不活性化を制御できるようになり、耐ノイズ性に優れたインタフェース回路５０を実現できるといった効果を奏する。これに依り、通報管理装置１０におけるスキャニング動作の要不要の検出が優れた耐ノイズ性及び電位安定性を以て可能となり、リレースイッチ３２の接点ＯＮ／ＯＦＦ状態に変化が無く前状態を維持している場合の様にスキャニング動作を不要とする場合にはスキャニング動作の回避が優れた耐ノイズ性及び電位安定性を以て可能となる。更に、リレースイッチ３２の接点ＯＮ／ＯＦＦ状態に変化に応じた容量性素子５８Ａの充放電波形を用いて、スキャニング動作を必要とする場合を優れた耐ノイズ性及び電位安定性を以て判定でき、スキャニング動作を必要とする場合のみスキャニング動作が優れた耐ノイズ性及び電位安定性を以て実行可能となり、その結果、節電状態にある通報管理装置１０をスキャニング動作要求に応じて覚醒状態に復帰させてスキャニング動作が優れた耐ノイズ性及び電位安定性を以て実行可能となる。
【０１１３】
またスキャニング手段５２は、スキャニング信号１４ａが供給されていないスキャニング動作期間に応じて、スキャニング手段５２のフォトカプラ５３（フォトダイオード５３３とフォトトランジスタ５３２と）を不活性化して容量性素子５８Ａへの充電電荷（充電電流Ｉ１）の供給を遮断すると同時に、容量性素子５８Ａに充電電荷（保持電流Ｉ３）を供給して充電電位（満充電電位が望ましい）を一定に保持する機能を有している。
【０１１４】
このような機能を設けることに依り、スキャニング信号１４ａが供給されていないスキャニング動作期間に応じて、スキャニング手段５２のフォトカプラ５３を不活性化して容量性素子５８Ａへの充電電荷（充電電流Ｉ１）の供給を遮断すると同時に、容量性素子５８Ａに充電電荷（保持電流Ｉ３）を供給して充電電位を一定に保持する回路を設けることに依り、容量性素子５８Ａにおける漏れ電流に起因する充電電位の経時的低下を回避できるようになるといった効果を奏する。
【０１１５】
更に加えて、耐ノイズ性と電位安定性に優れた容量性素子５８Ａの容量性素子５８Ａは、スキャニング動作期間中はリレースイッチ３２の接点ＯＮ状態の発生タイミングを除いて常時充電動作が継続されるためほぼ常時満充電状態を維持できる。その結果、外来ノイズによる接点状態検知手段５４のフォトカプラ５５の誤った活性化（すなわち、誤動作）を回避でき、満充電において容量性素子５８Ａの両端に発生する電位の変化にのみ基づいて接点状態検知手段５４のフォトカプラ５５の活性化及び不活性化を優れた耐ノイズ性及び電位安定性を以て制御できるようになり、耐ノイズ性に優れたインタフェース回路５０を実現できるといった効果を奏する。これに依り、通報管理装置１０におけるスキャニング動作の要不要の検出が優れた耐ノイズ性及び電位安定性を以て可能となり、リレースイッチ３２の接点ＯＮ／ＯＦＦ状態に変化が無く前状態を維持している場合の様にスキャニング動作を不要とする場合にはスキャニング動作の回避が優れた耐ノイズ性及び電位安定性を以て可能となる。更に、リレースイッチ３２の接点ＯＮ／ＯＦＦ状態に変化に応じた容量性素子５８Ａの充放電波形を用いて、スキャニング動作を必要とする場合を優れた耐ノイズ性及び電位安定性を以て判定でき、スキャニング動作を必要とする場合のみスキャニング動作が優れた耐ノイズ性及び電位安定性を以て実行可能となり、その結果、節電状態にある通報管理装置１０をスキャニング動作要求に応じて覚醒状態に復帰させてスキャニング動作が優れた耐ノイズ性及び電位安定性を以て実行可能となる。
【０１１６】
図５は、図３のインタフェース回路５０、及びこれを用いた通報管理装置１０における接点状態検出動作を説明するための機能ブロック図である。
【０１１７】
また接点状態検知手段５４は、図３に示すように、リレースイッチ３２が生成する状態情報の収集を実行する機能を有し、フォトカプラ５５を有する。
【０１１８】
接点状態検知手段５４のフォトカプラ５５内のフォトダイオード５５３においては、アノードが抵抗素子５７Ｃに接続され、カソードが抵抗素子５７Ｆを介してリレースイッチ３２に接続されている。
【０１１９】
また接点状態検知手段５４のフォトカプラ５５内のフォトトランジスタ５５２においては、図３に示すように、コレクタが抵抗素子５７Ｅ，５７Ｄを介して電源Ｖｃｃに接続され、エミッタが接地電位ＧＮＤに接続され、ベースかフォトダイオード５５３を光結合可能な接続形態となっている。
【０１２０】
接点状態検知手段５４は、図５に示すように、接点ＯＮ状態になったリレースイッチ３２と容量性素子５８Ａとフォトダイオード５５３とが直列（具体的には、充電状態にある容量性素子５８Ａの高電位側とフォトダイオード５５３のアノード、フォトダイオード５５３のカソードと抵抗素子５７Ｆとリレースイッチ３２の一方の端子（ポート）１６、及びリレースイッチ３２の他方の端子１６と抵抗素子５７Ｇと接地電位で構成される）に放電電流Ｉ２に対して順方向接続される直列回路に流れる順方向の電流（すなわち、放電電流Ｉ２）を用いて容量性素子５８Ａのスキャニング動作時の充電電荷（すなわち、放電電流Ｉ２）の放電を実行する制御を実行する。
【０１２１】
また接点状態検知手段５４は、容量性素子５８Ａの放電電圧波形をフォトダイオード５５３で光電変換してフォトトランジスタ５５２に伝達してこのフォトトランジスタ５５２を活性化し、電源Ｖｃｃに接続された抵抗素子５７Ｄ，５７Ｅから供給される電流を活性化状態のフォトトランジスタ５５２に導いて接点状態信号５４ａを生成する制御を実行する。なお、マイクロコンピュータ１４の接点状態信号５４ａの入力端子と接地電位ＧＮＤ間には、外来ノイズを接点状態信号５４ａから除去して接地電位ＧＮＤバイパスするためのコンデンサー５８Ｂが設けられていることが望ましい。
【０１２２】
すなわち、容量性素子５８Ａのスキャニング動作時の充電電荷の放電を実行すると同時に、容量性素子５８Ａの放電電圧波形を用いて接点状態信号５４ａを生成する放電電流Ｉ２を制御する回路が接点状態検知時に形成されることに依り、リレースイッチ３２の接点ＯＮ／ＯＦＦ状態の変化を判断できるようになり、リレースイッチ３２の接点ＯＮ／ＯＦＦ状態に変化が無く前状態を維持している場合の様にスキャニング動作を不要とする場合には、接点状態信号５４ａを用いて、スキャニング動作の回避が可能となり、その結果、節電状態にある通報管理装置１０の節電状態を維持して通報管理装置１０における電力消費量を従来よりも低減できるようになる。
【０１２３】
更に、リレースイッチ３２の接点ＯＮ／ＯＦＦ状態に変化が生じた場合の様にスキャニング動作を必要とする場合のみ、接点状態信号５４ａを用いて、スキャニング動作が実行可能となり、その結果、節電状態にある通報管理装置１０をスキャニング動作要求に応じて覚醒状態に復帰させてスキャニング動作が実行可能となり、通報管理装置１０における電力消費量を従来よりも低減できるようになる。
【０１２４】
また接点状態検知手段５４は、リレースイッチ３２が接点ＯＦＦ状態になったタイミング（このとき、放電電流Ｉ２により容量性素子５８Ａの充電電位が所定電位以下に低下しているタイミング）に、容量性素子５８Ａの放電電流Ｉ２の遮断に応じてフォトカプラ５５内のフォトダイオード５５３を不活性化（順方向電流が遮断されるのでフォトダイオード５５３は不活性状態となる）してフォトトランジスタ５５２を不活性化する制御を実行する。このときスキャニング手段５２は、接点状態検知手段５４におけるこの不活性化制御に同期して容量性素子５８Ａへの充電（すなわち、充電電流Ｉ１の容量性素子５８Ａへの供給）を再開する制御を実行する。
【０１２５】
なお、第２実施形態におけるリレースイッチ３２は、接点の接点ＯＦＦ状態と接点ＯＮ状態とに応じて、接点を有するリレースイッチ３２に流れる電流を遮断状態に制御したり通電状態にしたりできるものであれば、何でも良い。
【０１２６】
接点状態検知手段５４におけるこのような不活性化制御及びこれに同期して実行されるスキャニング手段５２における充電再開制御に依れば、リレースイッチ３２が接点ＯＦＦ状態になったタイミングに、接点状態検知手段５４内のフォトカプラ５５内のフォトトランジスタ５５２を不活性化して容量性素子５８Ａへの充電を再開する電流Ｉ１を供給する回路を設けることに依り、通報管理装置１０におけるスキャニング動作の要不要の検出がスキャニング信号１４ａに応じて繰り返して可能となり、リレースイッチ３２の接点ＯＮ／ＯＦＦ状態に変化が無く前状態を維持している場合の様にスキャニング動作を不要とする場合にはスキャニング動作の回避が繰り返して可能となり、その結果、節電状態にある通報管理装置１０の節電状態を維持して通報管理装置１０における電力消費量を従来よりも更に低減できるようになる。
【０１２７】
次に、図面に基づき、第２実施形態にかかる通報管理装置１０を説明する。
【０１２８】
通報管理装置１０は、図３乃至図５に示すように、ＮＣＵ１２とインタフェース回路５０との間に設けられたマイクロコンピュータ１４を有する。
【０１２９】
通報管理装置１０は、通信手段としてのＮＣＵ１２とインタフェース回路５０とマイクロコンピュータ１４とを有し、センター４０と通信可能なようにＮＣＵ１２を介して回線４１（接続端子Ｌ１，Ｌ２，Ｔ１，Ｔ２）に接続されると同時に、インタフェース回路５０を介して通報装置３０である発信機能付自動切替調整器３０に接続されている。以下の説明では、通報装置３０を発信機能付自動切替調整器３０として説明を行う。
【０１３０】
インタフェース回路５０は、前述したように、状態情報を生成する発信機能付自動切替調整器３０と状態情報を検知する通報管理装置１０との間で装置間相互接続を行うための手段である。
【０１３１】
第２実施形態におけるガス漏れ検知装置とは、ガス漏れ、コンセント抜け、その他の自損事故を検出して、その検出状態を伝えるための状態情報を生成可能な装置を意味する。
【０１３２】
マイクロコンピュータ１４は、スキャニング信号１４ａを出力端子からスキャニング手段５２に与えて、スキャニング手段５２を活性化して接点状態信号５４ａの生成を制御すると同時に、リレースイッチ３２のＯＮ／ＯＦＦ状態に応じて活性化された接点状態検知手段５４を介してＯＮ／ＯＦＦ状態にかかる接点状態信号５４ａの収集を制御する。
【０１３３】
またマイクロコンピュータ１４は、ポート１７（端子ＳＧ（制御信号様の端子），ＤＴ（データの送受信様の端子））を介してガスメータ４２に接続されており、ガスメータ４２からガスの使用量等の検針情報を受信している。
【０１３４】
第２実施形態のマイクロコンピュータ１４とは、ＣＰＵ、プログラム記憶用のＲＯＭ、演算記憶用のＲＡＭ、情報の入出力制御を行うペリフェラルインタフェース等を中心にして構成されている制御手段ならば、何でも良い。また、ＮＣＵ１２やインタフェース回路５０は、マイクロコンピュータ１４内にＩＣ化されて設けられることも可能である。
【０１３５】
次に、図面に基づき、第２実施形態にかかるマイクロコンピュータ１４の動作を説明する。
【０１３６】
第２実施形態にかかるマイクロコンピュータ１４とは、ＣＰＵ、プログラム記憶用のＲＯＭ、演算記憶用のＲＡＭ、情報の入出力制御を行うペリフェラルインタフェース等を中心にして構成されている制御手段ならば、何でも良い。また、ＮＣＵ１２やインタフェース回路５０は、マイクロコンピュータ１４内にＩＣ化されて設けられることも可能である。
【０１３７】
通報管理装置１０においては、電力消費量を抑える目的で、検知動作等の必要動作を実行する以外の時間はマイクロコンピュータ１４を節電状態（例えば、スリープモード）を維持している。
【０１３８】
スキャニング動作を実行する際には、接点状態信号５４ａの受信を待って、マイクロコンピュータ１４を覚醒状態（例えば、ウェイクアップモード）に復帰させている。
【０１３９】
このため、従来のようにスキャニング周期で無駄に覚醒状態に復帰させる必要が無くなるといった効果を奏する。
【０１４０】
また、覚醒状態に復帰したマイクロコンピュータ１４は、スキャニング動作可能状態となって、出力端子からスキャニング信号１４ａをフォトダイオード５３３に与え、スキャニング手段５２のフォトカプラ５３を活性化してリレースイッチ３２のＯＮ／ＯＦＦ状態のスキャニング動作を実行することもできる。
【０１４１】
スキャニング結果である接点状態信号５４ａは、活性化された接点状態検知手段５４のフォトカプラ５５を介して、覚醒状態にあるマイクロコンピュータ１４の入力端子に伝達されている。
【０１４２】
接点状態信号５４ａの収集が完了してリレースイッチ３２のスキャニング動作が終了すると、マイクロコンピュータ１４は、再び節電状態に移行し、次のスキャニング動作のタイミングまでこの節電状態を維持している。
【０１４３】
更に詳しく、マイクロコンピュータ１４が実行するスキャニング動作を説明する。
【０１４４】
発信機能付自動切替調整器３０において、リレースイッチ３２がＯＮ状態になると、充電状態にある容量性素子５８Ａの高電位側とフォトダイオード５５３のアノード、フォトダイオード５５３のカソードと抵抗素子５７Ｆと接点ＯＮ状態になったリレースイッチ３２の一方の端子１６、及び接点ＯＮ状態になったリレースイッチ３２の他方の端子１６と抵抗素子５７Ｇと接地電位で構成されるに放電電流Ｉ２に対して順方向接続される直列回路が形成され、容量性素子５８Ａの放電電圧波形がフォトダイオード５５３で光電変換されてフォトトランジスタ５５２に伝達されてフォトトランジスタ５５２が活性化され、電源Ｖｃｃに接続された抵抗素子５７Ｄ，５７Ｅから供給される電流が活性化状態のフォトトランジスタ５５２に導かれて接点状態信号５４ａが生成される。
【０１４５】
そこで、覚醒状態時にリレースイッチ３２のＯＮ状態のスキャニング動作を実行する場合には、マイクロコンピュータ１４は、前述の周期ｔのスキャニングタイミングでマイクロコンピュータ１４にスキャニング信号１４ａをスキャニング手段５２のフォトカプラ５３内のフォトダイオード５３３に与えて、フォトトランジスタ５３２を活性化して接点状態信号５４ａ（具体的には、割込み信号）の生成を制御すると同時に、リレースイッチ３２のＯＮ状態に応じて活性化された接点状態検知手段５４のフォトカプラ５５内のフォトトランジスタ５５２を介してＯＮ状態にかかる接点状態信号５４ａの収集の制御を実行している。
【０１４６】
第２実施形態における活性化とは、フォトダイオード５３３，５５３やフォトトランジスタ５３２，５５２を動作状態にすることを意味する。
【０１４７】
一方、リレースイッチ３２がＯＦＦ状態になると、接点状態検知手段５４のフォトカプラ５５内のフォトトランジスタ５５２を活性化することにより、ＯＦＦ状態に応じた接点状態信号５４ａが生成される。
【０１４８】
そこで、覚醒状態時にリレースイッチ３２のＯＦＦ状態のスキャニング動作を実行する場合には、マイクロコンピュータ１４は、図２（ｂ）に示すスキャニングタイミングでスキャニング信号１４ａをスキャニング手段５２のフォトカプラ５３内のフォトダイオード５３３に与えて、フォトトランジスタ５３２を活性化して接点状態信号５４ａの生成を制御すると同時に、リレースイッチ３２のＯＦＦ状態に応じて不活性化された接点状態検知手段５４のフォトカプラ５５内のフォトトランジスタ５５２を介してＯＦＦ状態にかかる接点状態信号５４ａの収集の制御を実行している。
【０１４９】
このようなマイクロコンピュータ１４によって制御可能な接点状態検知手段５４とスキャニング手段５２を設けることに依り、リレースイッチ３２のＯＮ／ＯＦＦ状態の変化を判断できるようになり、リレースイッチ３２のＯＮ／ＯＦＦ状態に変化が無く前状態を維持している場合の様にスキャニング動作を不要とする場合には、接点状態信号５４ａを用いて、スキャニング動作の回避が可能となり、その結果、節電状態にある通報管理装置１０の節電状態を維持して通報管理装置１０における電力消費量を従来よりも低減可能となるといった効果を奏する。
【０１５０】
更に、リレースイッチ３２のＯＮ／ＯＦＦ状態に変化が生じた場合の様にスキャニング動作を必要とする場合のみ、接点状態信号５４ａを用いて、スキャニング動作が実行可能となり、その結果、節電状態にある通報管理装置１０をスキャニング動作要求に応じて覚醒状態に復帰させてスキャニング動作が実行可能となり、通報管理装置１０における電力消費量を従来よりも低減可能となるといった効果を奏する。
【０１５１】
以上説明したように、第２実施形態の通報管理装置１０に依れば、発信機能付自動切替調整器３０に設けられたリレースイッチ３２のＯＮ／ＯＦＦ状態の変化を判断できるようになり、リレースイッチ３２のＯＮ／ＯＦＦ状態に変化が無く前状態を維持している場合の様にスキャニング動作を不要とする場合には、接点状態信号５４ａを用いて、スキャニング動作の回避が可能となり、その結果、節電状態にあるマイクロコンピュータ１４及びＮＣＵ１２の節電状態を維持してマイクロコンピュータ１４における電力消費量を従来よりも低減可能となるといった効果を奏する。
【０１５２】
更に、発信機能付自動切替調整器３０に設けられたリレースイッチ３２のＯＮ／ＯＦＦ状態に変化が生じた場合の様にスキャニング動作を必要とする場合のみ、接点状態信号５４ａを用いて、スキャニング動作が実行可能となり、またスキャニング動作の結果である接点状態信号５４ａをＮＣＵ１２を介してセンター４０に送信することが可能となり、その結果、節電状態にあるマイクロコンピュータ１４及びＮＣＵ１２をスキャニング動作要求に応じて覚醒状態に復帰させてスキャニング動作が実行可能となり、マイクロコンピュータ１４における電力消費量を従来よりも低減可能となるといった効果を奏する。
【０１５３】
【発明の効果】
請求項１に記載の発明に依れば、接点機器の開閉状態に変化が無く前状態を維持している場合の様にスキャニング動作を不要とする場合には、接点状態信号を用いて、スキャニング動作の回避が可能となり、その結果、節電状態にあるマイクロコンピュータ及びＮＣＵの節電状態を維持してマイクロコンピュータにおける電力消費量を従来よりも低減できるようになる。
【図面の簡単な説明】
【図１】本発明の通報管理装置の第１実施形態を説明するための機能ブロック図である。
【図２】図１の通報管理装置において生成される接点状態信号とスキャニング信号とのタイミングを説明するためのタイミングチャートである。
【図３】本発明の通報管理装置の第２実施形態を説明するための機能ブロック図である。
【図４】図３のインタフェース回路、及びこれを用いた通報管理装置におけるスキャニング動作を説明するための機能ブロック図である。
【図５】図３のインタフェース回路、及びこれを用いた通報管理装置における接点状態検出動作を説明するための機能ブロック図である。
【図６】従来のインタフェース回路、及びこれを用いた通報管理装置を説明するための機能ブロック図である。
【図７】図６の通報管理装置において生成されるスキャニング信号１４ａを説明するためのタイミングチャートである。
【符号の説明】
１０    通報管理装置
１２    ＮＣＵ（Ｎｅｔｗｏｒｋ  Ｃｏｎｔｒｏｌ  Ｕｎｉｔ）
１４    マイクロコンピュータ
１４ａ  スキャニング信号
１６，１７    ポート
２０    インタフェース回路
２２    スキャニング手段（フォトカプラ）
２２２    タイミング発生部
２２６，２４６    フォトダイオード
２２４，２４４    フォトトランジスタ
２３Ａ，２３Ｂ，２３Ｃ，２３Ｄ    抵抗素子
２４    接点状態検知手段（フォトカプラ）
２４ａ  接点状態信号
３０    通報装置
３２    接点機器
４０    センター
４１    回線
４２    ガスメータ
Ｖｃｃ，Ｖｄｄ    電源
５０    インタフェース回路
５２    スキャニング手段（フォトカプラ）
５３３，５５３        フォトダイオード
５３２，５５２        フォトトランジスタ
５４    接点状態検知手段（フォトカプラ）
５４ａ  接点状態信号
５８Ａ    タイミング発生部
５７Ａ〜５７ＧＤ    抵抗素子
【図１】
0003582763.tif 000002
【図２】
0003582763.tif 000003
【図３】
0003582763.tif 000004
【図４】
0003582763.tif 000005
【図５】
0003582763.tif 000006
【図６】
0003582763.tif 000007
【図７】
0003582763.tif 000008